(57)【要約】【課題】長手方向に変位可能なレピア・バー又は長手方向に変位可能なバンド２に連結されたレピア式織機のレピア・ヘッド１用の電源を提供する。【解決手段】この電源は、少なくとも１つの一次誘導コイル８と、この一次誘導コイルに誘導的に結合することができる少なくとも１つの二次誘導コイル９とを有する誘導結合装置を含み、二次誘導コイル９はレピア・バーの上又はバンド２の上にそれぞれ形成される。【選択図】図１
2007314928.tif 000002
【特許請求の範囲】
【請求項１】
長手方向に変位可能なレピア・バーに、又は長手方向に変位可能なバンド（２）に連結され、少なくとも１つの一次誘導コイル（８）と、前記一次誘導コイルに誘導的に結合することができる少なくとも１つの二次誘導コイル（９）とを有する誘導結合装置を含む、レピア式織機のレピア・ヘッド（１）のための電源（１０）において、前記二次誘導コイル（９）が前記レピア・バー若しくは前記バンド（２）にそれぞれ、及び／又は前記レピア・ヘッドの細長い取付け部（２’）に形成されていることを特徴とする電源。
【請求項２】
前記一次誘導コイル（８）が固定式である、請求項１に記載の電源。
【請求項３】
前記二次誘導コイル（９）が、少なくとも５ｃｍ、少なくとも１５ｃｍ、又は少なくとも５０ｃｍの長さにわたって延在するように細長い、請求項１又は請求項２に記載の電源。
【請求項４】
前記二次誘導コイル（９）が１つ又は複数の電流ループを含む、請求項１から３までのいずれか一項に記載の電源。
【請求項５】
前記二次誘導コイル（９）がコンバータを介してエネルギー蓄積部に接続されている、請求項１から４までのいずれか一項に記載の電源。
【請求項６】
前記誘導結合装置が少なくとも１つの磁化可能コア（７）及び／又は磁化可能ヨークを含む、請求項１から５までのいずれか一項に記載の電源。
【請求項７】
前記一次誘導コイル（８）が、前記二次誘導コイル（９）を中に誘導することができるエア・ギャップを有する磁化可能コア（７）の上に配置されている、請求項６に記載の電源。
【請求項８】
レピア・バー又はバンド（２）に連結され、誘導結合装置の少なくとも１つの一次誘導コイル（８）が同装置の少なくとも１つの二次誘導コイル（９）に結合され、エネルギーが前記一次誘導コイルから前記二次誘導コイルに伝達される、レピア式織機におけるレピア・ヘッド（１）に電力を供給するための方法において、前記二次誘導コイル（９）が前記レピア・バー若しくは前記バンド（２）それぞれの一部分にわたって、及び／又は前記レピア・ヘッド（１）の細長い取付け部（２’）の一部分にわたって延在することを特徴とする電力供給方法。
【請求項９】
磁界が前記一次誘導コイル（８）によって、特に磁化可能コア（７）の使用を通じて生成され、前記二次誘導コイル（９）は前記レピア・バー若しくは前記バンド（２）又は前記取付け部（２’）と共に、それぞれ、前記一次誘導コイルによって生成された前記磁界を通される、請求項８に記載の電力供給方法。
【請求項１０】
請求項１から７までのいずれか一項に記載され、及び／又は請求項８若しくは９のいずれか一項に記載の方法を実施するために装備された電源を含むレピア式織機。
【発明の詳細な説明】
【技術分野】
【０００１】
本発明は、請求項１の前文に記載のレピア式織機のレピア・ヘッド用の電源、及び請求項８の前文に記載のレピア式織機におけるレピア・ヘッドに電力を供給するための方法、並びにこの種類の電源を有してこの種類の方法を実施する織機に関する。
【背景技術】
【０００２】
レピア式織機においては、横糸が、バー又は可撓性バンドの上に取り付けられた挿入レピアによって、杼道の中に挿入され、受入れレピアによって杼道の中央部分の移動点で引き渡され、更に搬送される。挿入レピアは、提供された横糸を確実に掴み、横糸を杼道の中に挿入し、横糸を精確に受入れレピアに案内するという役割を有する。各レピアは、横糸挿入中に横糸をしっかり押えるために糸押えを備えたレピア・ヘッドを含む。自動的に締め付ける糸押えの場合には、糸の引渡しは、それぞれの糸押えの予め設定された締め付け領域からの横糸の引込み又は引出しを通じて行われる。様々な太さの横織糸又は様々な平滑度の織糸によって布を製造するために、制御された糸押えを１つ又は両方のレピア・ヘッドにおいて使用することができ、糸の移動中は挿入レピアの糸押えが能動的に開かれるか、又は受入れレピアが能動的に閉じられる。
【０００３】
制御式糸押えは、機械的及び／又は電気的に制御することができる。電気アクチュエータを備えた電気制御式糸押えは、例えばＷＯ９９／６０１９３号明細書に記載されている。制御式糸押えへの電力の供給は、レピア・ヘッドの中に配置された誘導コイルによって行われ、この誘導コイルは杼道の上方に配置された第２誘導コイルに誘導的に結合されている。ＷＯ９９／６０１９３号に記載の２つの誘導コイルの間のエネルギー伝達は、両方の誘導コイルが空気コイルとして構成され、コイル間の距離が比較的大きいので、あまり効率的なものではない。その上、伝達される電力は、これらのコイルのための法的に規定された最高限界値を遵守しなければならないので、誘導コイルから放射される干渉放射の結果として制限される。
【発明の開示】
【発明が解決しようとする課題】
【０００４】
本発明の目的は、レピア式織機のレピア・ヘッド用の電源と、上述の従来技術と比較してより多くの電力の伝達を可能にし、それによって杼道の上方又は下方の誘導コイルの配置を省くことができるレピア式織機においてレピア・ヘッドに電力を供給するための方法とを、使用可能にすることである。
【課題を解決するための手段】
【０００５】
この目的は、本発明によれば、請求項１に定義された電源、及び請求項８に定義されたレピア式織機におけるレピア・ヘッドに電力を供給するための方法、並びに請求項１０に定義されたレピア式織機によって達成される。
【０００６】
長手方向に変位可能なレピア・バーに、又は長手方向に変位可能なバンドに連結されたレピア式織機のレピア・ヘッドのための、本発明による電源は、少なくとも１つの一次誘導コイルと、この一次誘導コイルに誘導的に結合することができる少なくとも１つの二次誘導コイルとを有する誘導結合装置を含む。電源は、二次誘導コイルがレピア・バーの上又はバンドの上にそれぞれ、及び／又はレピア・ヘッドの細長い取付け部の上に形成されていることを特徴とする。一次誘導コイルは固定式であることが好ましい。
【０００７】
有利な実施例では、二次誘導コイルは、例えば少なくとも５ｃｍ、１５ｃｍ、又は少なくとも５０ｃｍの長さにわたって延在するように細長に形成されている。更に別の有利な実施例では、二次誘導コイルは、単一磁極又は互いに連続して続く複数の磁極を形成することができる１つ又は複数の電流ループ若しくは巻線を含む。
【０００８】
有利な変形実施例では、二次誘導コイルはエネルギー蓄積部、例えば蓄電器又は蓄電池に、コンバータを介して接続されている。
【０００９】
更に別の有利な実施例では、誘導結合装置は、少なくとも１つの磁化可能コア及び／又は磁化可能ヨークを含む。この構成では、一次誘導コイルを例えば、二次誘導コイルを中に導入することができるエア・ギャップを有する磁化可能コアの上に配置することができる。
【００１０】
更に、本発明は、レピア・バー若しくはバンドに連結されたレピア式織機におけるレピア・ヘッドに電力を供給するための方法を含む。前記の方法では、誘導結合装置の少なくとも１つの一次誘導コイルが、同装置の少なくとも１つの二次誘導コイルに結合され、エネルギーが一次誘導コイルから二次誘導コイルへ伝達され、二次誘導コイルは、レピア・バー若しくはバンドそれぞれの一部分にわたって、及び／又はレピア・ヘッドの細長い取付け部の一部分にわたって延在している。
【００１１】
本方法の有利な実施例では、一次誘導コイルによって、例えば磁化可能コアを使用して、磁界が生成され、磁気回路が例えば、１つ又は複数のエア・ギャップを除いて磁化可能コアの中に延在することが可能であり、二次誘導コイルは、レピア・バー若しくはバンド又は取付け部と共に、それぞれ一次誘導コイルによって生成された磁界を通される。
【００１２】
更に、本発明は、上記の実施例の１つによる、及び／又は上記の説明による方法を実施するために装備された電源を有するレピア式織機を含む。
【００１３】
レピア・バー若しくはバンドにおける、及び／又は取付け部における二次誘導コイルの配置のおかげで、本発明による電源とレピア式織機におけるレピア・ヘッドに電力を供給するための方法は、二次誘導コイルの長さに応じて、横糸挿入中の一部又は全部において押え装置に電流及び／又は制御情報を供給できるという利点を有する。その上、誘導結合装置の磁界の範囲を、磁化可能コアによって著しく限定することができ、それにより、結合装置によって伝達される電力を増加することができる。更に別の利点は、一次誘導コイルを杼道の外側及び横側に取り付けることができることである。用途に応じて、特に誘導結合装置によって伝達されるエネルギーをレピア・ヘッドに蓄積しようとする場合には、二次誘導コイルの長さをレピア・バー若しくはバンドの、及び／又は取付け部の長さの一部分に限定すれば十分である。
【００１４】
実施例の上述の説明は単に一例として役立つものである。更に別の有利な実施例が付随の特許請求の範囲及び図面から得られる。更に、本発明に関連して、新しい実施例を形成するために、説明又は図示された実施例と変形実施例からの個別の特徴を互いに組み合わせることもできる。
【００１５】
次に本発明を、例示的な実施例を参照し、図面を参照して更に詳しく説明する。
【実施例】
【００１６】
図１は、本発明によるレピア・ヘッドのための電源１０の例示的実施例によるレピア・ヘッド１とバンド駆動部の概略図である。レピア・ヘッド１はバンド２に連結され、バンド２は長手方向に変位可能であり、バンド駆動部６によって前後に移動させることができる。バンド駆動部６は、例えば図１に示すように、バンド２の切抜きとかみ合う歯を周辺に備えた駆動輪を含む。バンド２を長手方向に案内するためのバンド・ガイドは、わかり易くするために図１から省かれている。バンドが可撓性として設計されている場合には、図１に示すように、バンドを駆動輪の周りに導くことができる。
【００１７】
この例示的実施例では、レピア・ヘッドのための電源１０は、少なくとも１つの一次誘導コイル８と少なくとも１つの二次誘導コイル９と有する誘導結合装置を含み、一次誘導コイル８は有利な変形実施例では固定配置され、二次誘導コイル９は一次誘導コイルに誘導的に結合されている。動作中は、一次誘導コイル８は、例えば５ｋＨｚ〜１００ｋＨｚの周波数で動作する発電機によって電力を供給されることが有利である。誘導結合装置は、図１に示すように、例えばトランス金属シート又はフェライトからなる例えばバンド２が通されるスロットを有する磁化可能コア７を追加的に含むことができる。二次誘導コイル９はバンド２の上に形成され、例えばここでは、１つ又は複数の細長い導体ループがバンドの中に埋め込まれるか、例えば銅箔の積層によりバンドに付着される。更に別の有利な変形実施例では、二次誘導コイル９は、少なくとも５ｃｍ、１５ｃｍ、又は少なくとも５０ｃｍの長さにわたって延在している。
【００１８】
特に有利な変形実施例では、二次誘導コイル９は、これがバンド２の前後移動中に一次誘導コイル８の磁界を離れないように、すなわち中間の蓄積なしに全横糸挿入中及び／又は織機サイクル中にレピア・ヘッドに電流を供給できるように、長くなっている。この場合、全横糸挿入中及び／又は織機サイクル中に、誘導結合装置を介してレピア・ヘッドに情報を、例えばレピア・ヘッドの中に配置された糸押えの制御のための情報を伝達することも可能である。この情報は例えば、電力供給の働きをする電流の流れの上に変調されるか、又は固有の制御パルスによって伝達することができる。
【００１９】
レピア・ヘッド１が、横糸３とアクチュエータ５を堅く保持するための押え部分４を備えた制御式糸押えを含むことは有利であり、アクチュエータ５は二次誘導コイル９に電気的に接続されており、アクチュエータ５によって、押え部分４を支持物に対して押圧することができ、又は押圧された押え部分を解除することができる。アクチュエータ５の二次誘導コイル９への接続は、直接、又は例えば復調器及び／又は増幅器を含むことができるコンバータを介して行うことができる。
【００２０】
有利な実施例では、二次誘導コイル９は、コンバータを介して図示されていないエネルギー蓄積部に、例えばアクチュエータに電流を断続的に又は永続的に供給する蓄電池又は蓄電器に接続されている。二次誘導コイルを、この場合にはより短くすることができ、誘導結合装置を介する電力供給の中断はエネルギー蓄積部によって穴埋めできるので、特にレピア・ヘッドが移動する経路よりも短くすることができる。情報は例えば光学的に、又は高周波によってレピア・ヘッドに伝達することができるが、誘導結合装置を介する電力供給が中断されるか、一般には、後者の場合に二次誘導コイルがアンテナとして使用されることが可能である。更に、レピア・ヘッドにおける糸押えも、例えばレピア・ヘッドの中に配置されている近接センサなどのセンサを介して制御することができる。
【００２１】
図２は、図１における第１例示的実施例と同様に構成された、上から見た本発明によるレピア・ヘッド１のための電源の第２例示的実施例を示す。レピア・ヘッド１はバンド２に接続され、バンド２は長手方向に変位可能であり、図示されないバンド駆動部によって前後に移動させることができる。第２例示的実施例では、レピア・ヘッド用の電源１０は、少なくとも１つの一次誘導コイル８と、一次誘導コイルに誘導的に結合された少なくとも１つの二次誘導コイル９とを備えた誘導結合装置を含む。誘導結合装置は、図２に示すように、例えばバンド２を通すスロットを有する磁化可能コア７を追加的に含むことができる。二次誘導コイル９はバンド２の上に形成され、例えば細長い導体ループがバンドの中に埋め込まれるか、バンドの上に付着される。必要な場合には、複数の導体ループ若しくは巻線、及び／又は複数の二次誘導コイルをバンド２の上に形成することができる。
【００２２】
有利な変形実施例では、二次誘導コイル９は少なくとも５ｃｍ、１５ｃｍ、又は少なくとも５０ｃｍの長さにわたって延在している。特に有利な変形実施例では、二次誘導コイル９は、これがバンド２の前後移動中に一次誘導コイル８の磁界を離れないように、すなわち誘導結合装置を介するエネルギー及び／又は情報の伝達が全横糸挿入中及び／又は織機サイクル中に可能であるように、長くなっている。
【００２３】
図２に示す電源の設計に関する更なる変形実施例及び詳細は、図１の説明において見ることができる。
【００２４】
図３は、本発明によるレピア・ヘッド１用の電源の第３変形実施例を示す。図３に示す例示的実施例は、レピア・ヘッドをバンド２に固定する細長い取付け部２’によって、図２に示すものとは異なっている。通常、取付け部２’は、例えば平坦であって必要なときにはレピア・ヘッド１の長さよりも大きな長さにわたって延在するように設計することができる部分を含む。こうして、バンド２が可撓性で比較的薄いときでも、レピア・ヘッドのバンド２への確実な固定を達成することができる。取付け部は、バンドの上にその長さの少なくとも一部分にわたって都合よく配置されている。
【００２５】
第３変形実施例では、レピア・ヘッド用の電源１０は、少なくとも１つの一次誘導コイル８と、一次誘導コイルに誘導的に結合された少なくとも１つの二次誘導コイル９とを備えた誘導結合装置を含む。誘導結合装置は、図３に示すように、例えばバンド２及び／又は取付け部２’を通すスロット若しくは開口を有する磁化可能コア７を追加的に含むことができる。第３例示的実施例における二次誘導コイル９は取付け部２’に固定され、例えば１つ又は複数の細長い電流ループが取付け部２’に付着される。有利な変形実施例では、取付け部２’は磁化可能材料を含み、これに沿って１つ又は複数の電流ループが配置されている。
【００２６】
図３に示す電源の設計についての更に別の変形実施例及び詳細は、図１及び２の説明において見ることができる。
【００２７】
図４は、本発明によるレピア・ヘッド１用の電源の第４例示的実施例を示し、長手方向に変位可能でレピア・ヘッドを連結することができるレピア・バー２を有する。第４変形実施例では、レピア・ヘッド用の電源１０は、少なくとも１つの一次誘導コイル８と、一次誘導コイルに誘導的に結合された少なくとも１つの二次誘導コイル９とを備えた誘導結合装置を含む。誘導結合装置は、図４に示すように、磁化可能コア７を含むこともでき、磁化可能コア７は、レピア・バーの輪郭に一致してレピア・バー２を通す例えばスロット又は開口を有する。二次誘導コイル９はレピア・バー２の上に形成され、例えば１つ又は複数の細長い電流ループがレピア・バーの中に埋め込まれるか、レピア・バーに付着される。有利な変形実施例では、レピア・バー２は磁化可能材料、例えば磁化可能鋼などの管若しくは部分又は金属シートを含み、これに沿って１つ又は複数の電流ループが配置されている。
【００２８】
図４に示す電源の設計についての更に別の変形実施例及び詳細は、図１、図２、又は図３の説明において見ることができる。
【００２９】
レピア・ヘッドが長手方向に変位可能なレピア・バーに、又は長手方向に変位可能なバンド２に連結された、レピア式織機におけるレピア・ヘッド１に電力を供給するための本発明による方法の１つの例示的実施例を、図１及び図２を参照して以下に説明する。この方法では、誘導結合装置の少なくとも１つの一次誘導コイル８が、同装置の少なくとも１つの二次誘導コイル９に結合され、エネルギーは一次誘導コイルから二次誘導コイルに伝達され、二次誘導コイル９は、レピア・バー若しくはバンド２の、及び／又はレピア・ヘッド１の細長い取付け部２’の一部分にわたって延在している。
【００３０】
本方法の有利な実施例においては、磁界が、有利には磁化可能コア７を使用して一次誘導コイル８によって生成され、二次誘導コイル９はそれぞれレピア・バー若しくはバンド２又は取付け部２’と共に、一次誘導コイルによって生成された磁界を通って移動される。磁界を生成するために、一次誘導コイル８に例えば、例えば５ｋＨｚ〜１００ｋＨｚの周波数で動作する発電機によって電流を供給することができる。
【００３１】
レピア・ヘッド用の本発明による電源において、及び本発明による方法において、杼道の外側及び横に一次誘導コイルを備えることができるのは有利である。これによって、一次誘導コイルと二次誘導コイルとの間の空間距離を小さく保つことができ、伝達される電力を増加することができる。誘導結合装置の中に磁化可能コア７を使用すると、伝達される電力が更に増加する結果となる。更に別の利点は、二次誘導コイルの長さを広い範囲内で選択でき、それにより、誘導結合装置を介するエネルギー伝達を必要に応じて横糸挿入時の一部分又は全体にわたって保証することができることである。
【図面の簡単な説明】
【００３２】
【図１】本発明によるレピア・ヘッドのための電源の例示的実施例による、レピア・ヘッドとバンド駆動部の概略斜視図である。
【図２】図１の例示的実施例と同様に作られた、上から見た本発明によるレピア・ヘッドのための電源の第２例示的実施例を示す図である。
【図３】細長い取付け部を有する本発明によるレピア・ヘッドのための電源の第３例示的実施例を示す図である。
【図４】レピア・バーを有する本発明によるレピア・ヘッドのための電源の第４例示的実施例を示す図である。
【図１】
2007314928.tif 000003
【図２】
2007314928.tif 000004
【図３】
2007314928.tif 000005
【図４】
2007314928.tif 000006